(57)【要約】【課題】電池の入れ忘れを防止すると共に、電池が正しく挿入されているかをユーザに容易に認識させる。【解決手段】電池３８を挿入する電池室３１ｇを有する電池ケース３１と、電池室３１ｇに対して電池３８を挿抜するための開口３１ｅを開閉する電池蓋２６とを有する電池収納ユニット３０に、第１のロック部材３２と、第１のロック部材３２の位置を電池室３１ｇへの電池３８の挿入状態に応じて移動させる第２のロック部材３４を設ける。電池室３１ｇに電池３８が挿入されていない状態と正しく挿入されていない状態とでは、電池蓋２６に設けられた突起部２６ｃが第１のロック部材３２の突起部３２ｄに当接することで、電池蓋２６を閉じることができないようにする。【選択図】図２
2015185314.tif 000002
【特許請求の範囲】
【請求項１】
電池を挿入する電池室を有する電池ケースと、
前記電池室に対して電池を挿抜するための開口を開閉する電池蓋と、
第１の位置と第２の位置との間で移動することができ、前記電池室に電池が挿入されていない状態では前記第１の位置に保持され、前記電池室に電池が正しく収納された状態では前記第２の位置に保持されて前記電池の脱落を防止する第１のロック部材と、
前記電池室に電池が挿入されていない状態において前記第１のロック部材を前記第１の位置に係止し、電池が前記電池室へ挿入される際に前記第１のロック部材の係止を解除して前記第２の位置への移動を可能にする第２のロック部材と、
前記電池蓋に設けられ、前記第１のロック部材が前記第１の位置にあるときに前記第１のロック部材に当接して前記電池蓋が前記開口を閉じることができないようにする突起部と、を備えることを特徴とする電池収納ユニット。
【請求項２】
電池を挿入する電池室を有する電池ケースと、
前記電池室に対して電池を挿抜するための開口を開閉する電池蓋と、
前記電池室に対する電池の挿入状態に応じて、第１の位置、第２の位置または第３の位置で保持されるロック部材と、
前記電池蓋に設けられ、前記ロック部材が前記第１の位置および前記第２の位置に保持されているときに前記ロック部材と当接して前記電池蓋が前記開口を閉じることができないようにする突起部と、を備えることを特徴とする電池収納ユニット。
【請求項３】
前記ロック部材は、
前記第１の位置にあるときに前記電池蓋の前記突起部と当接する第１の突起部と、
前記第２の位置にあるときに前記電池蓋の前記突起部と当接する第２の突起部と、
前記第３の位置にあるときに前記電池蓋の前記突起部を収納する凹部と、を有することを特徴とする請求項２に記載の電池収納ユニット。
【請求項４】
前記ロック部材を、電池が前記電池室に挿入されていない状態では前記第１の位置に、前記電池室への電池の挿入中には前記に第２の位置に、電池が前記電池室へ正しく挿入された状態では前記第３の位置へ移動させる付勢手段を備えることを特徴とする請求項２又は３に記載の電池収納ユニット。
【請求項５】
請求項１乃至４のいずれか１項に記載の電池収納ユニットを備えることを特徴とする電子機器。
【発明の詳細な説明】
【技術分野】
【０００１】
本発明は、電子機器に関し、特に電池を収納する電池収納ユニットに関する。
【背景技術】
【０００２】
デジタルカメラ等の電子機器には、機器本体を駆動する電源として、機器本体内に着脱可能な充電式の二次電池（以下の説明では、適宜、「電池」と略す）を用いているものが多くある。このような電子機器では、一般的に、電池収納室に電池蓋により開閉される開口を設け、電池収納室に電池を挿入した状態で電池蓋を閉じることで、電池の脱落を防止すると共に電池と機器本体の電気回路との接続を安定的に維持している。
【０００３】
ここで、電池収納室に電池が正しく挿入されることなく電池蓋が閉じられた状態で電子機器を使用してしまった場合には、動作不良が生じ、或いは、電子機器本体が破損してしまうおそれがある。そのため、電池が正しく挿入されているかを容易に認識できることが望ましい。
【０００４】
この問題に対処する技術が、例えば、特許文献１に提案されている。特許文献１では、電池収納室に電池が正しく挿入された状態で電池を押さえて脱落を防止するロック部材を設けると共に、電池収納室に電池が正しく挿入されていない状態ではロック部材に当接して電池蓋が閉まらないようにする突起を電池蓋に設けている。この構造によれば、電池が正しく挿入されていないときには電池蓋が閉まらないため、ユーザは電池が正しく挿入されていないことを容易に認識することができる。
【先行技術文献】
【特許文献】
【０００５】
【特許文献１】特開平９−２２５８５号公報
【発明の概要】
【発明が解決しようとする課題】
【０００６】
ところで、二次電池は、残充電量が少なくなると機器本体から取り出して充電を行う必要があるため、ユーザが機器本体内に電池が収納されていない状態で電子機器を外出先に持ち出してしまうおそれがある。また、近年、二次電池の小型と軽量化が進んでいるため、ユーザが機器本体内の電池の有無に気付き難くなってきている。
【０００７】
そのため、電池の入れ忘れを防止するための配慮がより一層必要となってきているが、特許文献１に開示された技術では、電池が正しく挿入されているかを判別することは可能ではあっても、電池を入れ忘れていないかどうか判別することができない。
【０００８】
本発明は、電池の入れ忘れを防止すると共に、電池が正しく挿入されているかをユーザに容易に認識させることができる電池収納ユニットを有する電子機器を提供することを目的とする。
【課題を解決するための手段】
【０００９】
本発明に係る電池収納ユニットは、電池を挿入する電池室を有する電池ケースと、前記電池室に対して電池を挿抜するための開口を開閉する電池蓋と、第１の位置と第２の位置との間で移動することができ、前記電池室に電池が挿入されていない状態では前記第１の位置に保持され、前記電池室に電池が正しく収納された状態では前記第２の位置に保持されて前記電池の脱落を防止する第１のロック部材と、前記電池室に電池が挿入されていない状態において前記第１のロック部材を前記第１の位置に係止し、電池が前記電池室へ挿入される際に前記第１のロック部材の係止を解除して前記第２の位置への移動を可能にする第２のロック部材と、前記電池蓋に設けられ、前記第１のロック部材が前記第１の位置にあるときに前記第１のロック部材に当接して前記電池蓋が前記開口を閉じることができないようにする突起部と、を備えることを特徴とする。
【００１０】
また、本発明に係る別の電池収納ユニットは、電池を挿入する電池室を有する電池ケースと、前記電池室に対して電池を挿抜するための開口を開閉する電池蓋と、前記電池室に対する電池の挿入状態に応じて、第１の位置、第２の位置または第３の位置で保持されるロック部材と、前記電池蓋に設けられ、前記ロック部材が前記第１の位置および前記第２の位置に保持されているときに前記ロック部材と当接して前記電池蓋が前記開口を閉じることができないようにする突起部と、を備えることを特徴とする。
【発明の効果】
【００１１】
本発明によれば、電池の入れ忘れを防止すると共に、電池が正しく挿入されているかをユーザに容易に認識させることができる。
【図面の簡単な説明】
【００１２】
【図１】本発明の実施形態に係るデジタルカメラの背面斜視図である。
【図２】第１実施形態に係る電池収納ユニットの構成を示す分解斜視図である。
【図３】図２の電池収納ユニットの、電池蓋が閉じられた状態と電池蓋を開けるためにスライドさせた状態とを示す断面図である。
【図４】図２の電池収納ユニットの、電池蓋が開いた状態と電池が入っていない状態で電池蓋を閉じようとしたときの状態とを示す断面図である。
【図５】図２の電池収納ユニットの、電池を電池室に挿入し始めた状態を示す断面図である。
【図６】図２の電池収納ユニットの、電池が電池室に正しく挿入されていない状態と正しく挿入された状態とを示す断面図である。
【図７】第２実施形態に係る電池収納ユニットの構成を示す分解斜視図である。
【図８】図７の電池収納ユニットの、電池が入っていない状態で電池蓋を閉じようとしたときの状態とを示す断面図である。
【図９】図７の電池収納ユニットの、電池が電池室に正しく挿入されていない状態と正しく挿入された状態とを示す断面図である。
【発明を実施するための形態】
【００１３】
以下、本発明の実施形態について添付図面を参照して詳細に説明する。ここでは、本発明に係る電池収納ユニットを備える電子機器として、所謂、コンパクトタイプのデジタルカメラを取り上げることとするが、本発明はこれに限定されるものではない。
【００１４】
図１は、本発明の実施形態に係るデジタルカメラ１０の背面斜視図である。なお、後述する第１実施形態および第２実施形態に係る各電池収納ユニットがデジタルカメラ１０に適用される。
【００１５】
図１に不図示であるが、デジタルカメラ１０の前面には沈胴式レンズ鏡筒が配置されている。デジタルカメラ１０の上面には、電源ボタン２１、レリーズボタン２２及びズームレバー２３が配置されている。また、デジタルカメラ１０の背面には操作ボタン２４及び表示パネル２５が配置されており、デジタルカメラ１０の側面近傍の下面には、電池蓋２６が配置されている。
【００１６】
電源ボタン２１をオンすることで、後述する電池収納ユニット３０，４０に収納された電池３８，４５からデジタルカメラ１０の内部回路（不図示）へ電力が供給される。静止画又は動画を撮影する際に、レリーズボタン２２を半押しすると撮影準備動作（焦点検出及び測光動作）が開始され、全押しすると撮影から撮影画像の保存までの一連の動作が実行される。ズームレバー２３を操作することにより、撮影画角を調整することができる。ユーザは、操作ボタン２４を操作することにより、所望する動作をデジタルカメラ１０に実行させる。表示パネル２５には、撮影画像やライブビュー画像、デジタルカメラ１０の設定情報等が表示される。電池蓋２６は、後述する電池収納ユニット３０の構成要素であり、電池ケース３１の開口３１ｅを開閉する。
【００１７】
＜第１実施形態＞
デジタルカメラ１０が備える第１実施形態に係る電池収納ユニットについて説明する。図２は、デジタルカメラ１０が備える電池収納ユニット３０の構成を示す分解斜視図である。電池収納ユニット３０は、電池ケース３１、電池蓋２６、第１のロック部材３２、圧縮バネ３３、第２のロック部材３４、シャフト３５、捩じりバネ３６及び電池排出バネ３９を有する。
【００１８】
電池ケース３１は、電池３８を収納する電池室３１ｇを形成している。電池室３１ｇに対して電池３８を挿抜するために電池ケース３１に形成された開口３１ｅは、電池蓋２６によって開閉される。
【００１９】
第１のロック部材３２の表裏にはガイドリブ３２ａが形成されており、ガイドリブ３２ａは電池ケース３１に設けられた穴部３１ａに係合する。こうして、第１のロック部材３２は、電池ケース３１に対して矢印Ａ方向にスライド可能に取り付けられる。圧縮バネ３３は、電池ケース３１に設けられた不図示の穴部と第１のロック部材３２に設けられた凸部（図４（ａ）参照）に取り付けられる。これにより、第１のロック部材３２は、電池ケース３１に組み付けられた状態で常にＡ方向に付勢される。
【００２０】
第２のロック部材３４は、穴部３４ａを有する。穴部３４ａと電池ケース３１に設けられた穴部３１ｃにシャフト３５が挿入されることにより、シャフト３５は、回転軸として電池ケース３１に対して回転可能に取り付けられる。このとき、捩じりバネ３６にシャフト３５を通して、捩じりバネ３６の一端を電池ケース３１に係止させると同時に捩じりバネ３６の他端を第２のロック部材３４に係止させることにより、第２のロック部材３４は、常に矢印Ｂ方向に付勢される。
【００２１】
電池蓋２６には軸部２６ａが形成されており、軸部２６ａを電池ケース３１に形成された穴部３１ｂに係合させることにより、電池蓋２６は電池ケース３１に対して回転可能に取り付けられる。電池３８は、電池室３１ｇに正しく（完全に）収納された状態では、開口３１ｅから脱落しないように第１のロック部材３２に設けられた支持部３２ｃによって保持される。この状態で、電池３８の端子（不図示）とデジタルカメラ１０が備える基板（不図示）とが電気的に接続され、電池３８からデジタルカメラ１０の内部回路への電力供給が可能になる。電池排出バネ３９は、電池ケース３１に固定されており、電池３８を電池ケース３１から排出する役割を担う。
【００２２】
図３を参照して、開口３１ｅが電池蓋２６により閉じられた状態（電池蓋２６を閉じた状態）から開かれた状態（電池蓋２６を開けた状態）になるまでの電池蓋２６の動作について説明する。図３（ａ）は、電池蓋２６が閉じられた状態にある電池収納ユニット３０の断面図である。図３（ａ）に示す状態では、電池ケース３１に設けられた爪部３１ｆが電池蓋２６に設けられた爪部２６ｂと係合しており、これにより、電池蓋２６は閉じた状態で保持される。なお、電池ケース３１と電池蓋２６にはそれぞれ、他に不図示の爪部が２箇所ずつに形成されており、電池ケース３１と電池蓋２６とは合計３箇所の爪部で係合する。
【００２３】
図３（ｂ）は、図３（ａ）に示す状態から電池蓋２６を矢印Ｄ方向にスライドさせた状態にある電池収納ユニット３０の断面図である。図３（ｂ）に示す状態では、電池ケース３１に設けられた爪部３１ｆと電池蓋２６に設けられた爪部２６ｂとの係合が解除され、電池蓋２６は軸部２６ａを中心として矢印Ｃ方向に回転可能となる。これにより、電池蓋２６は、開状態へ遷移することができる。
【００２４】
続いて、図４乃至図６を参照して、電池室３１ｇに電池３８が挿入されていない状態から電池室３１ｇに電池３８が正しく挿入された状態となるまでの電池収納ユニット３０の各状態について説明する。
【００２５】
図４（ａ）は、電池室３１ｇに電池３８が挿入されておらず、且つ、電池蓋２６が開いた状態にある電池収納ユニット３０の断面図である。図４（ａ）に示す状態では、圧縮バネ３３が第１のロック部材３２を矢印Ａ方向に付勢し、捩じりバネ３６が第２のロック部材３４を矢印Ｂ方向に付勢している。このとき、捩じりバネ３６が第２のロック部材３４を矢印Ｂ方向に付勢する力が、圧縮バネ３３が第１のロック部材３２を矢印Ａ方向に付勢する力より強くなるように設計されている。そのため、第１のロック部材３２は、圧縮バネ３３が圧縮される方向に付勢された位置（第１の位置）に保持される。
【００２６】
図４（ｂ）は、図４（ａ）に示す状態から電池蓋２６を閉じる方向に回転させた状態にある電池収納ユニット３０の断面図である。図４（ａ）に示す状態で電池蓋２６を閉じようとすると、図４（ｂ）に示すように、電池蓋２６に設けられた突起部２６ｃが第１のロック部材３２の支持部３２ｃに当接する。そのため、電池室３１ｇに電池３８が正しく挿入されていない状態では、電池蓋２６を閉じることができない。
【００２７】
図５は、電池ケース３１の開口３１ｅを通して電池３８を電池室３１ｇに挿入し始めた状態にある電池収納ユニット３０の断面図である。電池３８を電池室３１ｇへ挿入すると、図５に示すように、電池３８の図中左上角部が第２のロック部材３４を押圧することにより、第２のロック部材３４はシャフト３５を中心として回転する。このとき、第１のロック部材３２は、第２のロック部材３４からの付勢を解除されるが、支持部３２ｃが電池３８の図中左側面に当接しているため、矢印Ａ方向にスライドすることはできない。
【００２８】
図６（ａ）は、電池３８が電池室３１ｇに正しく挿入されていない状態（奥まで完全に入りきっていない状態）にある電池収納ユニット３０の断面図である。図６（ａ）に示す状態では、図５と同様に、第１のロック部材３２の支持部３２ｃが電池３８の図中左側面に当接しているため、第１のロック部材３２は矢印Ａ方向にスライドすることができない。よって、電池蓋２６を閉じようとしても、図４（ｂ）に示した状態と同様に、電池蓋２６の突起部２６ｃが第１のロック部材３２の支持部３２ｃに当接してしまうため、電池蓋２６を閉じることができない。
【００２９】
図６（ｂ）は、電池３８が電池室３１ｇに正しく挿入されて、電池蓋２６が閉じられた状態にある電池収納ユニット３０の断面図である。電池３８が電池室３１ｇの奥まで完全に挿入されると、図６（ａ）の状態から第２のロック部材３４がさらに回転し、これに伴って第１のロック部材３２が矢印Ａ方向にスライドする。これにより、第１のロック部材３２は、支持部３２ｃが電池３８の左下角部を支持して、電池３８の電池室３１ｇからの脱落を防止する第２の位置で保持される。このように、第２のロック部材３４は、電池室３１ｇに電池３８が挿入されていない状態では第１のロック部材３２を第１の位置に係止し、電池３８が電池室３１ｇへ挿入される際に第１のロック部材３２の係止を解除して第２の位置への移動を可能にする。
【００３０】
第１のロック部材３２が第２の位置で保持されると、電池蓋２６の突起部２６ｃが第１のロック部材３２の凹部３２ｄに収まるようになる。よって、この状態で電池蓋２６を矢印Ａ方向にスライドさせると、電池ケース３１に設けられた爪部３１ｆと電池蓋２６に設けられた爪部２６ｂ（前述した不図示の爪部を含む）が係合し、電池蓋２６は開口３１ｅを閉じた状態で保持される。
【００３１】
電池３８を電池室３１ｇから取り出すときには、電池蓋２６を開き、第１のロック部材３２を矢印Ａ方向とは逆の方向（図３（ｂ）の矢印Ｄ方向）にスライドさせる。これにより、第１のロック部材３２の支持部３２ｃによる電池３８の保持が解除される。このとき、第２のロック部材３４には捩じりバネ３６のバネ力が作用しているため、電池３８は電池ケース３１の図中右側の側壁と第２のロック部材３４とで挟持されている。しかし、電池排出バネ３９のバネ力は第２のロック部材３４と電池ケース３１とが電池３８を挟持する力よりも大きい。よって、電池３８は、電池排出バネ３９のバネ力によって、ユーザが指で取り出せる位置まで排出される。
【００３２】
以上の説明の通り、本実施形態によれば、電池収納ユニット３０は電池３８が電池室３１ｇに挿入されていない状態では、電池蓋２６の突起部２６ｃが第１のロック部材３２の突起部３２ｃに当接するため、電池蓋２６を閉じることができない。これにより、ユーザは、電池３８の挿入の有無を容易に認識することができ、電池３８の入れ忘れを防止することができる。また、電池３８が電池室３１ｇに正しく挿入されていない場合も、電池蓋２６の突起部２６ｃが第１のロック部材３２の突起部３２ｃに当接するため、電池蓋２６を閉じることができない。これにより、ユーザは、電池３８が正しく挿入されていないことを容易に認識することができ、電池３８の不完全な挿入（装着）を原因とした、動作不良の発生や破損を防止することができる。
【００３３】
＜第２実施形態＞
デジタルカメラ１０が備える第２実施形態に係る電池収納ユニットについて説明する。図７は、デジタルカメラ１０が備える電池収納ユニット４０の構成を示す分解斜視図である。電池収納ユニット４０は、電池ケース４１、ロック部材４２、圧縮バネ４３、電池蓋４４及び電池排出バネ４６を有する。
【００３４】
電池ケース４１は、電池４５を収納する電池室４１ｇを形成している。電池室４１ｇに対して電池４５を挿抜するために電池ケース４１に形成された開口４１ｅは、電池蓋４４によって開閉される。
【００３５】
ロック部材４２の表裏にはガイドリブ４２ａが形成されており、ガイドリブ４２ａは電池ケース４１に設けられた穴部４１ａに係合する。こうして、ロック部材４２は、電池ケース４１に対して矢印Ａ方向にスライド可能に取り付けられる。圧縮バネ４３は、電池ケース４１に設けられた不図示の穴部とロック部材４２に設けられた凸部４２ｂ（図８参照）に取り付けられる。これにより、ロック部材４２は、電池ケース３１に組み付けられた状態で常に矢印Ａ方向に付勢される。
【００３６】
電池蓋４４は、第１実施形態で説明した電池蓋２６と同等の構造を有する。即ち、電池蓋４４には軸部４４ａが形成されており、軸部４４ａを電池ケース４１に形成された穴部４１ｂに係合させることにより、電池蓋４４は電池ケース４１に対して回転可能に取り付けられる。電池４５は、電池蓋４４により開閉される開口４１ｅを通して、電池室４１ｇに対して挿抜される。電池４５は、電池室４１ｇに正しく収納された状態では、開口４１ｅから脱落しないようにロック部材４２の第２の突起部４２ｄ（図９（ａ）参照）によって保持される。電池排出バネ４６は、電池ケース４１に固定されており、電池４５を電池ケース４１から排出する役割を担う。
【００３７】
電池蓋４４を閉じた状態から開くまでの動作は、図３を参照して説明した第１実施形態と同じである。即ち、電池蓋４４を図７の矢印Ａ方向の反対方向にスライドさせると、電池蓋４４に設けられた爪部４４ｂと電池ケース４１に設けられた不図示の爪部（不図示のその他の２箇所の爪部を含む）との係合が解除される。これにより、電池蓋４４は、軸部４４ａを中心として回転可能な状態となって、開状態へ遷移可能となる。
【００３８】
図８及び図９を参照して、電池室４１ｇに電池４５が挿入されていない状態から電池室４１ｇに電池４５が挿入された状態となるまでの電池収納ユニット４０の各状態について説明する。
【００３９】
図８は、電池４５が挿入されていない状態で電池蓋４４を閉じようとしたときの電池収納ユニット４０の状態を示す断面図である。図８の状態では、ロック部材４２は、圧縮バネ４３に付勢されて、ガイドリブ４２ａが電池ケース４１の穴部４１ａに沿って穴部４１ａの右端に当接する位置までスライドした位置（第１の位置）で保持されている。ロック部材４２が第１の位置にあるときに電池蓋４４を閉じようとしても、電池蓋４４に設けられた突起部４４ｃがロック部材４２に設けられた第１の突起部４２ｃに当接するため、電池蓋４４を閉じることはできない。
【００４０】
図９（ａ）は、電池４５が電池室４１ｇに正しく挿入されていない状態（奥まで入りきっていない状態）にある電池収納ユニット４０の断面図であり、例えば、電池室４１ｇへの電池４５の挿入中の状態を示している。例えば、電池４５の図中の上部左側の側面をロック部材４２の第２の突起部４２ｄの図中右端に当接させてロック部材４２を図中左側へスライドさせ、その状態で電池４５を電池室４１ｇに挿入し、圧縮バネ４３を圧縮する方向に押し込む。
【００４１】
図９（ａ）に示すように、電池４５が正しく電池室４１ｇに挿入されていない状態では、ロック部材４２は、圧縮ばね４３により電池４５側に付勢されて、ロック部材４２の第２の突起部４２ｄと電池４５が当接した位置（第２の位置）で保持されている。ロック部材４２が第２の位置にある状態で電池蓋４４を閉じようとしても、電池蓋４４の突起部４４ｃがロック部材４２の第２の突起部４２ｄに当接するため、電池蓋４４を閉じることはできない。
【００４２】
図９（ｂ）は、電池４５が電池室４１ｇに正しく挿入されて、電池蓋４４が閉じられた状態にある電池収納ユニット４０の断面図である。電池４５が電池室４１ｇに正しく（奥まで）挿入されると、ロック部材４２は、圧縮ばね４３により矢印Ａ方向にスライドした位置（第３の位置）で保持される。ロック部材４２が第３の位置にあるとき、電池４５は、ロック部材４２の第２の突起部４２ｄによって電池室４１ｇから脱落しないように保持される。これと同時に、電池蓋４４の突起部４４ｃがロック部材４２の凹部４２ｅに収納されるようになる。よって、この状態で電池蓋４４を矢印Ａ方向にスライドさせると、電池ケース４１に設けられた不図示の爪部と電池蓋４４に設けられた爪部４４ｂ（前述した不図示の爪部を含む）が係合し、電池蓋４４は開口４１ｅを閉じた状態で保持される。
【００４３】
電池４５を電池室４１から取り出すときには、電池蓋４４を開き、ロック部材４２を矢印Ａ方向とは反対の方向にスライドさせればよい。これにより、電池４５の保持が解除され、電池排出バネ４６のバネ力によって、電池４５は、ユーザが指で取り出せる位置まで排出される。
【００４４】
以上の説明の通り、本実施形態に係る電池収納ユニット４０では、電池室４１ｇへの挿入状態に応じて、ロック部材４２が保持される位置をスライドさせる。そして、電池４５が電池室４１ｇに挿入されていない状態及び正しく挿入されていない場合には、電池蓋４４の突起部４４ｃがロック部材４２に当接し、電池蓋４４を閉じることができなくなるようにする。これにより、電池４５の入れ忘れを防止することができ、また、電池４５の不完全な挿入（装着）を原因とした、動作不良の発生や破損を防止することができる。
【００４５】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００４６】
上記の実施形態では、本発明に係る電子機器としてデジタルカメラを取り上げたが、本発明は、これに限定されるものではなく、各種の電子機器に適用可能である。例えば、本発明が適用可能な電子機器としては、デジタルビデオカメラ、携帯通信端末（携帯電話、スマートフォン等）、携帯型パーソナルコンピュータ（タブレット端末）、携帯ゲーム機等が挙げられる。
【符号の説明】
【００４７】
３０，４０    電池収納ユニット
３１，４１    電池ケース
３１ｇ，４１ｇ    電池室
３２    第１のロック部材
３４    第２のロック部材
２６，４４    電池蓋
２６ｃ，４４ｃ    突起部
４２    ロック部材
４２ｃ    第１の突起部
４２ｄ    第２の突起部
４２ｅ    凹部
【図１】
2015185314.tif 000003
【図２】
2015185314.tif 000004
【図３】
2015185314.tif 000005
【図４】
2015185314.tif 000006
【図５】
2015185314.tif 000007
【図６】
2015185314.tif 000008
【図７】
2015185314.tif 000009
【図８】
2015185314.tif 000010
【図９】
2015185314.tif 000011